(57)【要約】【課題】  正反射光下で出現する画像の視認性が高く、チェンジ効果が明瞭であって、自然光と赤外線を用いた異なる観察条件で真偽判別を行うための真偽判別可能な情報担持体を提供する。【解決手段】  本発明は、基材上に、基材と異なる色彩で、かつ、赤外線を吸収しない盛り上がりを有する万線状の四つの画線群から成る集合蒲鉾状画線群と、その上に、基材と異なる色彩で、かつ、赤外線を吸収する明暗フリップフロップ性又はカラーフリップフロップ性の少なくともどちらか一方の特性を有し、面積率の差により区分けされた模様部と背景部から成る反射層が順次積層された真偽判別可能な情報担持体である。【選択図】  図６
2017056640.tif 000002
【特許請求の範囲】
【請求項１】
基材上の少なくとも一部に、前記基材と異なる色彩で、かつ、赤外線を吸収しない樹脂系の第１のインキにより、盛り上がりを有するように印刷された万線状の画線から成る集合蒲鉾状画線群と、
前記集合蒲鉾状画線群上に、前記基材と異なる色彩を有し、赤外線を吸収、かつ、明暗フリップフロップ性又はカラーフリップフロップ性の少なくともどちらか一方の特性を備えた第２のインキにより印刷された反射層から成る印刷画像が形成され、
前記集合蒲鉾状画線群は、互いに重ならないように隣接して配置された四つの画線群から成り、
前記四つの画線群は、前記画線が第１の方向に第１の画線面積率で万線状に配列された第１の画線群と、前記画線が前記第１の方向に、前記第１の画線面積率とは異なる第２の画線面積率で万線状に配列された第２の画線群と、前記画線が前記第１の方向とは異なる第２の方向に前記第１の画線面積率で万線状に配列された第３の画線群と、前記画線が前記第２の方向に第２の画線面積率で万線状に配列された第４の画線群から成り、
前記第２の画線群と前記第４の画線群により、第一の有意情報が形成され、
前記第３の画線群と前記第４の画線群により、第二の有意情報が形成され、
前記第１の画線群により、前記第一の有意情報及び前記第二の有意情報の共有の背景部が形成され、
前記反射層には、画線面積率が異なることで区分けされた模様部と背景部により第三の有意情報が形成され、
前記基材に対して、拡散反射光下では前記第一の有意情報が観察でき、拡散反射光と正反射光が混在する観察角度では前記第二の有意情報が観察でき、さらに、赤外線光源下では前記第三の有意情報が観察できることを特徴とする真偽判別可能な情報担持体。
【請求項２】
前記第１の画線面積率と前記第２の画線面積率の差異が５％以上５０％以下であることを特徴とする請求項１記載の真偽判別可能な情報担持体。
【請求項３】
前記反射層における最大面積率と最小面積率の差異が５％以上２５％以下であることを特徴とする請求項１又は２記載の真偽判別可能な情報担持体。
【請求項４】
前記第１のインキと前記第２のインキは、同じ色相を有することを特徴とする請求項１乃至３のいずれか１項記載の真偽判別可能な情報担持体。
【発明の詳細な説明】
【技術分野】
【０００１】
本発明は、偽造防止効果を必要とする銀行券、パスポート、有価証券、身分証明書、カード、通行券等のセキュリティ印刷物の分野において、光が入射することで優れた画像のチェンジ効果を生じる、高い真偽判別性を備えた真偽判別可能な情報担持体に関する。
【背景技術】
【０００２】
セキュリティ印刷物の真偽判別要素として付与される偽造防止技術は、使用する一般人にとっては真偽判別のための効果が明白な技術であることが好ましい。自然光で認証可能なすき入れやホログラムといった技術は、万人が真偽判別を容易に行えることを目的に付与される技術である。一方、偽造や改ざんを意図する偽造者に対しては、その存在が把握できない技術であることが好ましい。
【０００３】
発光インキ、赤外線インキ、磁性インキ等で形成する偽造防止技術がこれに当たり、自然光とは異なる特殊な波長の光や磁力を用いた特殊な判別装置がない限り、その存在自体が判明しない構成となっている。通常、一つのセキュリティ印刷物の中には前述のような認証方法の異なる複数の偽造防止技術を付与する。すなわち、一般人に認証し易い技術を付与する一方で、存在が把握できない技術も同時に付与することで、セキュリティ印刷物全体としての真偽判別性と偽造抵抗力を両立させるのが一般的である。
【０００４】
しかしながら、セキュリティ印刷物の面積は限られている場合がほとんどであり、コストや刷色数の制限等からも複数の偽造防止技術を配置することが難しい場合がある。このような問題に対応するため、偽造防止技術の中には、単一の技術であるにもかかわらず、複数の真偽判別方法を備え、一般人に認証し易い効果を有する一方で、存在が把握できない効果も同時に備えた技術が存在する。
【０００５】
本出願人は、既に拡散反射光下では印刷画像中に特定の可視画像が視認され、正反射光が存在する観察環境では印刷画像中に可視画像とは異なる潜像画像が視認できる、自然光を用いた画像のチェンジ効果を備えた技術であって、それに加えて赤外線で観察した場合には、印刷画像中に可視画像と潜像画像とは異なる別の秘匿画像が視認できることを特徴とする技術を出願している（特許文献１及び特許文献２参照）。
【０００６】
特許文献１及び特許文献２に記載の技術は、通常の観察環境で視認できる可視画像と、画像を正反射させることで出現する潜像画像とがチェンジする効果を有する。この効果は、自然光下で生じるために万人が容易に認識できるものであり、通常の真偽判別手段として有効に機能する。しかしながらこの効果は、偽造を試みようとする者も容易に把握できるため、この効果を模倣した偽造品を作製しようと意図する場面が想定される。このため、特許文献１及び特許文献２の記載の技術には、このような偽造対策として赤外線光で観察すると自然光下で生じたチェンジ効果で出現した二つの画像（可視画像と潜像画像）以外に、全く異なる別の秘匿画像が出現する効果が更に備わっている。
【０００７】
この秘匿画像の存在は、赤外線ビューアを所持しない者は、その存在を把握できない一方で、赤外線ビューアを所持した者には、容易に認識できる。このため、一般ユーザーに対しては、通常の自然光を利用した真偽判別方法を提供し、同時に偽造者を排除する目的で特定の限定されたユーザーに対して赤外線を用いた秘匿性の高い真偽判別方法の提供を更に行える、認証レベルの異なる二段階の真偽判別方法を提供する技術であると言える。
【先行技術文献】
【特許文献】
【０００８】
【特許文献１】特許第４５６８９１４号公報
【特許文献２】特許第５１４６６８８号公報
【発明の概要】
【発明が解決しようとする課題】
【０００９】
しかしながら、特許文献１の技術は、三つの異なる印刷層を重ねて構成する技術であり、構造が複雑であって、それぞれの印刷層を占める画像の網点面積率の制約が大きく、最適な画像設計が難しいという問題があった。
【００１０】
また、オフセット印刷で形成することを前提とした技術であって、オフセット印刷で形成できる印刷皮膜は薄いため、光輝性インキで形成した印刷層からの強い反射光が得づらく、自然光を用いた場合の拡散反射光下から正反射光下にかけて、可視画像から潜像画像へのチェンジ効果がやや低く、場合によっては可視画像と潜像画像が混ざり合って出現してしまう場合があった。
【００１１】
特許文献２の技術は、二つの印刷層によって構成する技術であって、あらかじめ形成した可視画像の上に、盛り上がりのある画線群を重ねて形成する技術である。特許文献２の技術においては、拡散反射光下では可視画像が視認され、正反射光下では盛り上がりのある画線群の画線方向の違いによって構成された潜像画像が出現する。このため、この技術の自然光下のチェンジ効果は、蒲鉾状画像の光学特性に依存する。すなわち、チェンジ効果を得るためには、正反射光下で可視画像を消失させる必要があるため、蒲鉾状画像の反射光量が大きくなければならず、また、潜像画像を出現させるためには、蒲鉾状画線の画線角度の違いから生じる反射光量の差が大きくなければならない。
【００１２】
蒲鉾状画線に、前述のような特別な光学特性を付与するには、蒲鉾状画線を形成するインキに特殊な光学特性を有する機能性材料を混合する方法を用いるのが一般的である。これらの機能性材料の代表物としては、パール顔料、メタリック顔料、ガラスフレーク、エフェクト顔料等が存在する。また、市販されている色彩変化に富んだ特性を有するインキ、例えば、ＯＶＩ（Ｏｐｔｉｃａｌ Ｖａｒｉａｂｌｅ Ｉｎｋ）、ＣＳＩ（Ｃｏｌｏｒ Ｓｈｉｆｔｉｎｇ Ｉｎｋ）、コレステリック液晶インキ等を使用することでも同じ効果を得ることができる。このように光学特性に優れた機能性材料が配合されたインキや光学特性に優れたインキを用いて印刷した画線は、機能性材料やインキ由来の優れた光学特性が発揮される。しかしながら、通常の厚みのない、平坦な印刷画線と異なり、盛り上がりを有する蒲鉾状画線に、このような特殊なインキを用いて優れた光学特性を付与することには、以下のような問題があった。
【００１３】
これらのインキに含まれる機能性材料のうち、パール顔料に代表される機能性材料の多くは、薄くて平らな鱗ペン形状をしている。このような形状をした材料は、全ての材料が同じ向きに揃って並んだ（リーフィングした）場合に光の反射する光量が最も大きくなって効果が高まる一方、それぞれの顔料が個別に異なる角度を成してランダムに並んだ場合には、反射光量は極端に小さくなって効果が著しく低くなる。通常の印刷物のように、印刷画線に厚みがなく平坦な画線である場合、画線のインキ膜内で顔料が角度を変える自由度がほとんど無いため、インキ中の鱗ペン状の機能性材料は、乾燥過程で自然に平坦となって、全ての材料の向きが揃うことから、特段の工夫を施さなくても一定以上の効果を常に得ることができる。
【００１４】
しかしながら、盛り上がりのある蒲鉾状画線中では、図９（ａ）に示すように、インキ樹脂（ａ）に高さがあるために機能性材料（ｂ）が角度を変えられる自由度が存在することから、機能性材料（ｂ）がランダムに別々の方向に傾いて固定され、蒲鉾状画線から生じる反射光量が平坦な画線と比較して極端に小さくなり、出現する画像の視認性が低くなるという問題があった。
【００１５】
また、正反射光が存在する環境で出現する第二の有意情報は、蒲鉾状画線の画線方向の違いによって構成されているため、第二の有意情報が可視化されるためには、蒲鉾状画線の画線方向由来の反射光が生じる必要がある。そのために、正反射光が存在する環境下においては、蒲鉾状画線の画線表面で反射された表面反射光（ｃ）が支配的である必要がある。しかしながら、図９（ｂ）に示すように、盛り上がりのある蒲鉾状画線中では、表面反射光（ｃ）以外に、蒲鉾状画線内部にランダムに固定された機能性材料（ｂ）から蒲鉾状画線方向とは無関係なランダムな内面反射光（ｄ）が生じてしまう。
【００１６】
表面反射光（ｃ）の光量に対する内面反射光（ｄ）の光量が多くなれば多くなるほど、正反射光が存在する環境下で出現する第二の有意情報は不明瞭になるという問題があった。以上のように、鱗ペン状の機能性材料を配合したインキによって盛り上がりのある蒲鉾状画線を形成した場合、反射光量が低下するとともに、蒲鉾状画線内面から生じる不適切な内面反射光（ｄ）の介在によって、出現する画像の視認性が低下したり、出現した画像が不明瞭な画像となる問題があった。
【００１７】
この問題を回避する一つの方法として、特許文献２に記載の技術の中では、鱗ペン状の機能性材料の表面に特殊な撥水及び撥油処理を施して用いる場合がある。この場合、図１０（ａ）に示すように、印刷直後に蒲鉾状画線の画線表面の盛り上がりに沿って機能性材料（ｂ）がリーフィングすることから、図９（ａ）のような機能性材料（ｂ）がランダムに別々の方向に傾いた状態と比較して、より大きな反射光量を得ることができる。
【００１８】
また、図１０（ｂ）に示すような光が入射した場合、機能性材料（ｂ）は、蒲鉾状画線表面にのみ存在することから、蒲鉾状画線内面由来の不適切な反射光が生じることなく、蒲鉾状画線表面由来の反射光(ｃ)のみが生じ、画線方向由来の第二の有意情報が鮮明に出現する。
【００１９】
以上のように、図１０（ａ）に示すような蒲鉾状画線の画線表面の盛り上がりに沿って機能性材料（ｂ）がリーフィングした構造を作り出すことによって、図９（ｂ）のような蒲鉾状画線で生じる問題を解決する方法が存在する。しかし、この機能性材料（ｂ）の特別な表面処理には大きな手間とコストがかかるという問題があった。また、撥水及び撥油処理が施された鱗ペン状顔料は、インキ樹脂との密着性が弱いことに加え、画線表面に機能性材料（ｂ）の一部が露出した状態や、機能性材料（ｂ）が十分にインキ樹脂に被覆されていない状態となるため、画線表面が擦られることで機能性材料（ｂ）が脱落し易いという堅牢性の問題があった。
【００２０】
また、図９（ａ）のような機能性材料（ｂ）の向きがランダムな蒲鉾状画線であっても、図１０（ａ）のような機能性材料（ｂ）がリーフィングした蒲鉾状画線であっても、それぞれの蒲鉾状画線に共通して要求される事項として、高い視認性と鮮明さを実現するためには、それぞれの蒲鉾状画線の画線形状は、全て一定の盛り上がり高さを有した完全に均質な三次元構造を有する必要があって、かつ、蒲鉾状画線の表面は、微細な凹凸の無い滑らかな表面構造を有することが求められる。このような蒲鉾状画線の構造を実現するために、インキの粘度は高いことが好ましい。
【００２１】
一方で、蒲鉾状画線に対して前述のような特殊な光学特性を付与するために、顔料の配向を阻害させない、インキの粘度が低いことが好ましい。以上のように、蒲鉾状画線に対して特殊な光学特性を満たすためのインキの条件と、画線形状としても均質で滑らかな三次元構造の実現するためのインキの条件が相反するため、印刷によって一瞬で形成される単一の画線に対して、これら相互に異なる要求を高いレベルで同時に実現することは困難であった。
【００２２】
本発明は、上記課題の解決を目的とするものであり、盛り上がりを有する蒲鉾状画線の上に反射層を印刷した二層構造で形成可能であって、盛り上がりを有する蒲鉾状画線から生じる反射光の反射光量を高めるとともに、その反射光も蒲鉾状画線表面由来の反射光のみとすることで、正反射光が存在する環境下で出現する潜像の視認性が高く、チェンジ効果が明瞭であって、自然光と赤外線を用いた複数の異なる真偽判別方法を備えた潜像印刷物を提供する。
【課題を解決するための手段】
【００２３】
本発明は、基材上の少なくとも一部に、基材と異なる色彩で、かつ、赤外線を吸収しない樹脂系の第１のインキにより、盛り上がりを有するように印刷された万線状の画線から成る集合蒲鉾状画線群と、集合蒲鉾状画線群上に、基材と異なる色彩を有し、赤外線を吸収、かつ、明暗フリップフロップ性又はカラーフリップフロップ性の少なくともどちらか一方の特性を備えた第２のインキにより印刷された反射層から成る印刷画像が形成され、集合蒲鉾状画線群は、互いに重ならないように隣接して配置された四つの画線群から成り、四つの画線群は、画線が第１の方向に第１の画線面積率で万線状に配列された第１の画線群と、画線が第１の方向に、第１の画線面積率とは異なる第２の画線面積率で万線状に配列された第２の画線群と、画線が第１の方向とは異なる第２の方向に第１の画線面積率で万線状に配列された第３の画線群と、画線が第２の方向に第２の画線面積率で万線状に配列された第４の画線群から成り、第２の画線群と第４の画線群により、第一の有意情報が形成され、第３の画線群と第４の画線群により、第二の有意情報が形成され、第１の画線群により、第１の有意情報及び第２の有意情報の共有の背景部が形成され、反射層には、画線面積率が異なることで区分けされた模様部と背景部により第三の有意情報が形成され、基材に対して、拡散反射光下では第一の有意情報が観察でき、拡散反射光と正反射光が混在する観察角度においては、第二の有意情報が観察でき、さらに、赤外線光源下では第三の有意情報が観察できることを特徴とする真偽判別可能な情報担持体である。
【００２４】
本発明の真偽判別可能な情報担持体は、第１の画線面積率と第２の画線面積率の差異が５％以上５０％以下であることを特徴とする。
【００２５】
また、本発明の真偽判別可能な情報担持体は、反射層における最大面積率と最小面積率の差異が５％以上２５％以下であることを特徴とする。
【００２６】
さらに、本発明の真偽判別可能な情報担持体は、第２のインキと第１のインキは同じ色相を有することを特徴とする。
【発明の効果】
【００２７】
本発明の真偽判別可能な情報担持体は、従来の技術のように、蒲鉾状画線自体が明暗フリップフロップ性又はカラーフリップフロップ性のような特別な光学特性を備える必要はなく、蒲鉾状画線の上に別に印刷される反射層が、この光学特性を担う。反射層は、優れた光学特性を実現することに目的を絞って作製すればよいことから、必要とされる特殊な光学特性を実現しやすい。
【００２８】
また、反射層は基材上に形成されるわけではなく、光沢を有するインキ樹脂で形成された蒲鉾状画線の上に重なる。インキ樹脂上に印刷された反射層の反射光量は、反射層自体の反射光量に加えて、下地となるインキ樹脂の反射光量に準じる光量が加算され、全体に大きく嵩上げされることから、通常の上質紙やコート紙上に同じインキで印刷された反射層の反射光量よりも、インキ樹脂上に印刷された反射層の反射光量の方が、より大きくなる。このため従来技術の蒲鉾状画線と比較して反射光量を高くすることができるため、正反射光下で出現する潜像の視認性が向上した。
【００２９】
本発明の真偽判別可能な情報担持体は、蒲鉾状画線の上に明暗フリップフロップ性又はカラーフリップフロップ性を有する反射層を重ねて形成する。このような光学特性を満たすインキの中には、赤外線を吸収する特性を有する場合が多いため、反射光量を増大させる機能と、赤外線を吸収する機能の二つの機能を無理なく同時に担うことができる。このため、二層構造であるにもかかわらず、第一から第三までの有意情報は、それぞれの出現すべき観察領域でいずれも混ざり合うことなく鮮明に出現する、優れた画像のチェンジ効果が生じる。
【００３０】
本発明の真偽判別可能な情報担持体は、従来の技術のように蒲鉾状画線自体が明暗フリップフロップ性又はカラーフリップフロップ性のような特別な光学特性を備える必要がない。このため蒲鉾状画線群一定の盛り上がりを有してそれぞれが均質であって、画線表面が滑らかで凹凸の少ない盛り上がりのある画線を形成することに特化して設計されたインキを用いることができ、従来よりも高品質な蒲鉾状画線を形成することができ、結果として潜像の鮮明さが向上した。
【００３１】
また、仮に蒲鉾状画線が印刷された段階で蒲鉾状画線の画線表面に滑らかさが欠け、画線表面に微小な凹凸が存在していたとしても、後刷りで形成される反射層のインキ皮膜によって、表面の凹凸が被覆されるため、蒲鉾状画線の画線表面をより平滑化する作用が生まれる。この作用により、正反射光が存在する環境下で出現する潜像の鮮明さが向上した。
【００３２】
本発明の真偽判別可能な情報担持体において、反射層から生じる反射光は、蒲鉾状画線から生じる画線表面由来の反射光が支配的となる。このため、従来の技術のように、本来サンプリングされるべきでない潜像画線が可視化して出現することがなく、従来の技術と比較して出現する潜像の鮮明さが向上した。
【００３３】
本発明の真偽判別可能な情報担持体の蒲鉾状画線は、従来の技術のように、反射層の形成に特殊な機能性材料を用いることなく、従来技術以上の画像のチェンジ効果を実現できる。また、従来技術の蒲鉾状画線のように、撥水・撥油処理された機能性材料を用いる必要がないことから、画線表面が擦られることで機能性材料が脱落することがなく、従来の技術と比較して堅牢性が向上した。
【図面の簡単な説明】
【００３４】
【図１】本発明の真偽判別可能な情報担持体を示す。
【図２】本発明の情報担持体の構成の概要図を示す。
【図３】本発明の情報担持体の集合蒲鉾状画線群を示す。
【図４】本発明の情報担持体の集合蒲鉾状画線群を示す。
【図５】本発明の情報担持体の反射層を示す。
【図６】本発明の情報担持体の集合蒲鉾状画線群と反射層の積層関係を示す。
【図７】本発明の蒲鉾状画線と反射層が入射光を反射する概要図を示す。
【図８】三層構成の場合の本発明の情報担持体物の効果を示す。
【図９】従来の潜像印刷物の蒲鉾状画線を示す。
【図１０】従来の潜像印刷物の蒲鉾状画線を示す。
【発明を実施するための形態】
【００３５】
本発明を実施するための形態について、図面を参照して説明する。しかしながら、本発明は、以下に述べる実施するための形態に限定されるものではなく、特許請求の範囲記載における技術的思想の範囲内であれば、その他のいろいろな実施の形態が含まれる。
【００３６】
（実施の形態）
実施の形態として、本発明における真偽判別可能な情報担持体（以下「情報担持体」という。）（１）の基本的な構成について、図１から図８を用いて説明する。図１に、本発明の情報担持体（１）を示す。情報担持体（１）は、基材（２）上に印刷画像（３）を有して成る。基材（２）は、印刷画像（３）が形成可能な平面を備えていればよく、上質紙、コート紙、プラスティック、金属等、材質は特に限定されない。その他、基材（２）の色彩や大きさについても特に制限はない。印刷画像（３）の色彩については、基材（２）と異なる色彩を有する必要がある。具体的な色彩や要求される光学特性については、反射層（５）の光学特性として後記する。
【００３７】
図２に印刷画像（３）の構成の概要を示す。印刷画像（３）は、集合蒲鉾状画線群（４）の上に反射層（５）が重なって形成されて成る。集合蒲鉾状画線群（４）は、盛り上がりを有した蒲鉾状画線（６）によって構成されて成り、その画像中に、第一の有意情報及び第二の有意情報を含んで成る。一方の反射層（５）は、盛り上がりのない画線や画素、網点等で一定の階調表現域の範囲で濃淡によって構成されて成り、第一の有意情報及び第二の有意情報とは異なる第三の有意情報を表して成る。本実施の形態において、第一の有意情報とはアルファベットの「ＪＰＮ」の文字であり、第二の有意情報とは、「桜」の画像を指す。第三の有意情報は、アルファベットの「ＯＫ」の文字である。
【００３８】
まず、集合蒲鉾状画線群（４）について説明する。図３に、基材（２）上に形成された集合蒲鉾状画線群（４）の一例を示す。集合蒲鉾状画線群（４）は、画線方向と画線幅の異なる四種類の蒲鉾状画線（６）、すなわち、第１の蒲鉾状画線（６Ａ）、第２の蒲鉾状画線（６Ｂ）、第３の蒲鉾状画線（６Ｃ）及び第４の蒲鉾状画線（６Ｄ）から成る。本実施の形態における第１の蒲鉾状画線（６Ａ）は、第２の方向（図中Ｓ２方向）の画線方向及び第１の画線幅（Ｗ１）を有する。第２の蒲鉾状画線（６Ｂ）も、第２の方向（図中Ｓ２方向）の画線方向及び第２の画線幅（Ｗ２）を有する。第３の蒲鉾状画線（６Ｃ）は、第１の方向（図中Ｓ１方向）の画線方向及び第１の画線幅（Ｗ１）を有する。第４の蒲鉾状画線（６Ｄ）も、第１の方向（図中Ｓ１方向）の画線方向及び第二の画線幅（Ｗ２）を有する。
【００３９】
なお、第１の方向と第２の方向は、少なくとも１０度以上異なっている必要がある。角度差が小さい場合、拡散反射光と正反射光が混在した領域で出現する第二の有意情報の視認性が低くなるためである。
【００４０】
集合蒲鉾状画線群（４）は、図４に示すように、四種類の異なる蒲鉾状画線（６）によって構成された四種類の蒲鉾状画線群（７）から構成される。具体的には、第１の蒲鉾状画線（６Ａ）が第１の方向（図中Ｓ１方向）に万線状に配置された第１の蒲鉾状画線群（７Ａ）、第２の蒲鉾状画線（６Ｂ）が第１の方向（図中Ｓ１方向）に万線状に配置された第２の蒲鉾状画線群（７Ｂ）、第３の蒲鉾状画線（６Ｃ）が第２の方向（図中Ｓ２方向）に万線状に配置された第３の蒲鉾状画線群（７Ｃ）、第四の蒲鉾状画線（６Ｄ）が第２の方向（図中Ｓ２方向）に万線状に配置された第四の蒲鉾状画線群（７Ｄ）から成る。それぞれの蒲鉾状画線群（７）は、互いに重なり合うことなく、隣接して成る。
【００４１】
なお、本発明において「万線状に配置」とは、同一の蒲鉾状画線群（７）内において、同一の方向（Ｓ）に向かって複数配列した状態である。この場合、蒲鉾状画線群（７）のピッチ（Ｐ９）及び画線幅（Ｗ）については、必ずしも一定であることを意味するものではなく、同一方向（Ｓ）に複数配列されていればよい。ただし、好ましくは、同一ピッチ（Ｐ）及び画線幅（Ｗ）であることから、本実施の形態では、ピッチは全て同一ピッチ（Ｐ１）とし、画線幅（Ｗ）は、同じ蒲鉾状画線群（７）内においては同一の画線幅（Ｗ１、又はＷ２）とした。
【００４２】
また、第一の実施の形態において、それぞれの蒲鉾状画線群（７）は、盛り上がりを有した蒲鉾状の連続して繋がった画線の集合によって構成された例について説明するが、本発明における蒲鉾状画線群（７）は、これに限定されるものではなく、蒲鉾状画線群（７）の一形態として分断線や点線等の不連続線や曲線や波線、同心円等の曲がった線等の集合で構成してもよい。
【００４３】
図３の例においては、全ての蒲鉾状画線群（７）における蒲鉾状画線（６）の配置ピッチを同じ値（Ｐ１）として説明したため、第１の蒲鉾状画線（６Ａ）と第３の蒲鉾状画線（６Ｃ）の画線幅を同じ第１の画線幅（Ｗ１）とし、第２の蒲鉾状画線（６Ｂ）と第４の蒲鉾状画線（６Ｄ）の画線幅を同じ第２の画線幅（Ｗ２）としたが、配置ピッチが異なっていれば、画線幅自体は同じ必要はない。重要なのは、第１の蒲鉾状画線群（７Ａ）における画線面積率と第３の蒲鉾状画線群（７Ｃ）における画線面積率は、等しい面積率（第１の画線面積率）である必要があり、第２の蒲鉾状画線群（７Ｂ）における画線面積率と第４の蒲鉾状画線群（７Ｄ）における画線面積率は、等しい面積率（第２の画線面積率）であり、なおかつ、第１の画線面積率と第２の画線面積率は、異なる値を取ることである。
【００４４】
それぞれの蒲鉾状画線群（７）の組合せ方によって、第一の有意情報と第二の有意情報が現れる。まず、画線面積率が同じ第１の画線面積率同士、第２の面積率同士、すなわち、第１の蒲鉾状画線群（７Ａ）と第３の蒲鉾状画線群（７Ｃ）を一組とし、第２の蒲鉾状画線群（７Ｂ）と第４の蒲鉾状画線群（７Ｄ）をもう一組として、この組別として集合潜像画線群（４）の画像を区分けすると、第一の有意情報であるアルファベットの「ＪＰＮ」の文字と、その背景に区分けされる。
【００４５】
次に、画線の画線方向に同じ第１の方向（図中Ｓ１方向）同士、第２の方向（図中Ｓ２方向）同士、すなわち、第１の蒲鉾状画線群（７Ａ）と第２の蒲鉾状画線群（７Ｂ）を一組とし、第３の蒲鉾状画線群（７Ｃ）と第４の蒲鉾状画線群（７Ｄ）をもう一組として、この組別として集合潜像画線群（４）の画像を区分けすると、第二の有意情報である桜の画像と、その背景に区分けされる。
【００４６】
以上のように、集合蒲鉾状画線群（４）は、画線面積率で画像を区分けした場合には、第一の有意情報が、画線方向で画像を区分けした場合には、第二の有意情報が現れる構成を有する。
【００４７】
なお、第１の画線面積率と第２の画線面積率は、少なくとも５％以上５０％以下の面積率の差異がある必要がある。蒲鉾状画線（６）を形成するために用いるインキの色彩によって左右されるが、如何なる色彩であったとしても５％未満の差異しかない場合、拡散反射光下で視認される第一の有意情報の視認性が低くなり過ぎるためであり、５０％を越える差異がある場合、拡散反射光と正反射光下が混在する角度領域において、第一の有意情報が消失しきらないためである。
【００４８】
蒲鉾状画線（６）は、樹脂を含んだ材料によって構成される必要がある。ここで言う樹脂とは、ウレタン樹脂、アクリル樹脂、アルキド樹脂、エポキシ樹脂、ポリエステル樹脂、フェノール樹脂等の一般的な印刷インキのワニス成分に当たる、一定の光沢を有した樹脂を指す。透かしやエンボス等によって基材（２）に直接凹凸を形成する構成では、本発明の必須要件を満たさない。これは、基材（２）と同じ素材で構成した場合には、蒲鉾状画線（６）の上に形成される反射層（４）の反射光量を嵩上げする効果を得られないためである。
【００４９】
一般にＵＶ硬化型のスクリーン印刷によって蒲鉾状画線（６）を形成する場合、スクリーンインキの粘度が高い方が、蒲鉾状画線（６）の盛り上がり高さは高く、かつ、それぞれの蒲鉾状画線（６）の三次元立体形状は、互いに均一になる傾向にある。このような蒲鉾状画線（６）の均一な構造は、潜像の視認性や鮮明さを高めるために極めて好ましいことから、本発明の蒲鉾状画線（６）を形成するに当たっては、粘度の高いインキを用いることが好ましい。
【００５０】
従来のように蒲鉾状画線（６）自体に特殊な光学特性を付与しなければならない形態において、高粘度のインキを使用した場合には、インキ内の機能性材料の配向に悪影響を与え、光学特性が低下することから、粘度の低いインキとせざるを得ず蒲鉾状画線（８）の三次元立体形状は犠牲になることが通例であった。これに対し、粘度の高いインキを用いて均質な蒲鉾状画線（６）の形成をし得るのは、蒲鉾状画線（６）が特別な光学特性の実現を担う必要がないことに起因する、本発明の大きな長所の一つである。均質な立体構造の蒲鉾状画線（６）の形成を重視するのであれば、インキ粘度は１．５Ｐａ・ｓを超えていることが好ましい。
【００５１】
また、蒲鉾状画線（６）は、透明以外の基材（２）と異なる色彩を有する必要がある。これは、透明又は基材（２）と同じ色彩を有する場合、拡散反射光下で視認される第一の有意情報が不可視となってしまうためである。また、蒲鉾状画線（６）は、赤外線を透過するか、反射するかいずれかの特性を有する必要があり、赤外線を吸収する特性を有していてはならない。これは、赤外線領域において出現する第三の有意情報と第一の有意情報が混ざり合って不鮮明な画像としないための工夫である。以上が、集合蒲鉾状画線群（４）の説明である。
【００５２】
さらに、本発明における「色彩」とは、色相、彩度及び明度の概念を含んで色を表したものであり、また、「色相」とは、赤、青、黄といった色の様相のことであり、具体的には、可視光領域（４００〜７００ｎｍ）の特定の波長の強弱の分布を示すものである。また、本発明における「色相が同じ」とは、二つの色において赤、青、黄といった色の様相が一致し、可視光領域の波長の強弱の分布が二つの色において相関を有することである。本発明においては、「白」「灰」「黒」等の無彩色に関しても、ひとつの同じ色相に属すると考える。
【００５３】
続いて、反射層（５）について説明する。図５に示す反射層（５）は、一定の階調表現域の範囲で第三の有意情報を表して成る。本実施の形態においては、反射層（５）の表す第三の有意情報を単純な二値画像とし、かつ、第三の有意情報をポジの状態で表しているため、アルファベットの「ＯＫ」の文字を表す情報部（５Ａ）と、その背景を表す背景部（５Ｂ）に区分けされる。ここで、反射層（５）における一定の階調表現域の範囲とは、反射層（５）を構成する画像全体の最大面積率と最小面積率の差を定め、その範囲内で表現できる階調範囲を指す。反射層（５）を構成するインキの色彩にもよるが、基本的には反射層（５）における最大面積率と最小面積率の差を５％以上２５％以下とすることが好ましい。
【００５４】
例えば、図５の例で言えば、情報部（５Ａ）の面積率（反射層（５）の最大面積率）を１００％とするのであれば、背景部（５Ｂ）の面積率（反射層（５）の最小面積率）は、７５％以上９５％以下とする必要があり、情報部（５Ａ）の面積率を８０％とするのであれば、背景部（５Ｂ）の面積率は、５５％以上７５％以下とする必要がある。少なくとも集合蒲鉾状画線群（４）において、第一の有意情報の濃淡差よりも第三の有意情報の濃淡差が小さくなるように設計する必要がある。この階調表現域を一定の範囲に制限するのは、拡散反射光下及び正反射光下において、第三の有意情報を観察者に視認させないためである。
【００５５】
なお、第一の実施の形態において、第一の有意情報を単純な二値画像としたが、一定の階調表現域の範囲で表すのであれば、写真のような連続した階調を有する多階調画像を用いても何ら問題ない。
【００５６】
本発明においては、集合蒲鉾状画線群（４）と反射層（５）が重なり合った構造を印刷画像（３）と定義する。集合蒲鉾状画線群（４）や反射層（５）が重なり合わずに単独で存在する構造は、印刷画像（３）に含まれない、印刷画像（３）に隣接する単なる修飾要素と見なす。なお、隣り合う蒲鉾状画線（６）と蒲鉾状画線（６）の間にある、基材（２）が露出した非画線部については集合蒲鉾状画線群（４）に含まれ、印刷画像（３）に含まれるものとする。
【００５７】
なお、反射層（５）の最大面積率は、理論上面積率１００％として形成することが正反射時に出現する第二の有意情報の視認性を高めるために効果的であるが、面積率１００％で形成することで、発生するムカレやピッキングといった印刷トラブルを避けることを目的に、面積率をやや低く形成しても何ら問題ない。基本的には、反射層（５）全体の面積率を高く構成することが、本発明の画像の可視光下のチェンジ効果を高める上で重要である。
【００５８】
反射層（５）は、先に印刷されてあらかじめ硬化した集合蒲鉾状画線群（４）の上に形成される。反射層（５）は、一定膜厚のインキ層から成ることから、集合蒲鉾状画線群（４）と反射層（５）が重なった印刷画線（３）の表面は、集合蒲鉾状画線群（４）の盛り上がりの高さや幅のような大まかな立体構造はそのまま反映されるが、一方で集合蒲鉾状画線群（４）の画線表面のわずかな凹凸は、反射層（５）の膜厚によって、印刷直後にある程度平坦に埋められる。このため、印刷画像（３）の表面は、集合蒲鉾状画線群（４）の表面よりも滑らかに成り、結果として正反射光下で出現する第二の有意情報の鮮明さが向上することとなる。
【００５９】
また、反射層（５）は、光が入射した場合には強く光を反射する特性を有する必要がある。具体的には、光が入射した場合に、明るさ（明度）が上昇する特性、いわゆる、明暗フリップフロップ性か、光が入射した場合に色相が変化する特性、いわゆる、カラーフリップフロップ性の少なくともいずれか一方の光学特性を有する必要がある。
【００６０】
明暗フリップフロップ性は、アルミや真鍮、酸化鉄等の一般的な金属顔料をインキ中に配合することで容易に付与することができる。また、カラーフリップフロップ性は、カラーフリップフロップ性を備えた機能性顔料をインキ中に配合することで付与できる。カラーフリップフロップ性を備えた機能性材料の具体的な一例としては、パール顔料、コレステリック液晶、ガラスフレーク顔料、金属粉顔料、鱗ペン状金属顔料等がある。
【００６１】
また、当然のことながら機能性顔料をインキに配合するだけではなく、明暗フリップフロップ性、カラーフリップフロップ性を有するインキとして市販されているインキを用いて反射層（５）を形成してもよい。明暗フリップフロップ性を有する市販インキとしては、金インキ、銀インキ、樹脂自体の光沢が高いＯＰニス、グロスニス等が存在し、カラーフリップフロップ性を有する市販インキとしては、ＣＳＩ（Ｃｏｌｏｒ Ｓｈｉｆｔｉｎｇ Ｉｎｋ）、ＯＶＩ（Ｏｐｔｉｃａｌ Ｖａｒｉａｂｌｅ Ｉｎｋ）、液晶インキ等がある。
【００６２】
また、反射層（５）は、透明や半透明以外の色彩を有して、赤外線を吸収する特性を有する必要がある。特定の色彩を有することによって拡散反射光下で第一の有意情報を可視化するとともに、反射層（５）に光が入射した場合に生じる反射光以外は全て反射層（５）で吸収され、蒲鉾状画線（６）と反射層（５）の積層された画線の画線表面から生じる表面反射光のみとなることから、本発明の効果の一つである潜像の鮮明さを担保することができる。また、赤外線を吸収する特性を有することによって、赤外線で観察した場合に第三の有意情報が出現する効果が生じる。
【００６３】
以上の構成で作製した集合蒲鉾状画線群（４）と反射層（５）とを図６に示す積層順序で重ね合わせて本発明の情報担持体（１）が完成する。必ず集合蒲鉾状画線群（４）の上に反射層（５）が重なる必要がある。二つの画像の重なり合いの位置関係に関しては、重なり合ってさえいればよく、多少の刷り合わせずれが発生したとしても効果に影響を及ぼすことはない。なお、図７は、蒲鉾状画線（６）上の反射層（５）が光を反射した場合の模式図で、蒲鉾状画線（６）に重なった反射層（５）をデフォルメして厚く表現した図であり、実際の反射層（５）は極めて薄い。また、反射光は反射層（５）から生じているため、実際には蒲鉾状画線（６）の画線表面から生じる表面反射光自体ではないが、蒲鉾状画線（６）の画線表面に沿って反射層（５）が形成されていることから、反射層（５）から生じる反射光は、蒲鉾状画線（６）の画線表面から生じる表面反射光に略等しいと言える。
【００６４】
以上、説明したとおり、本発明の情報担持体（１）において、インキ樹脂で形成された盛り上がりを有する蒲鉾状画線（６）の上に、基材と異なる色彩を有して明暗フリップフロップ性又はカラーフリップフロップ性の少なくともどちらか一方の特性を備えた反射層（５）を形成することで、反射光の光量を増大させるとともに、かつ、反射光を蒲鉾状画線（６）の画線表面由来の光のみとすることができる。
【００６５】
以上のような構成で作製した本発明の情報担持体（１）の効果について、図８を用いて説明する。図８（ａ）のように、拡散反射光下で本発明の情報担持体（１）の印刷画像（３）を観察した場合、観察者の視点（９）からは、第一の有意情報であるアルファベットの「ＪＰＮ」の文字が視認される。一方、図８（ｂ）のように、正反射光が存在する環境下、より具体的には、拡散反射光と正反射光が混在する観察角度で本発明の情報担持体（１）の印刷画像（３）を観察した場合、観察者の視点（１０）からは、第一の有意情報が消失して、第二の有意情報である「桜」の画像が視認される。また、入射する光の方向が変化することで、情報部（５Ａ）と背景部（５Ｂ）の濃淡が反転するネガポジ反転効果が生じる。
【００６６】
以上のように、入射する光の角度の変化に応じて、印刷画像（３）中に視認される画像がチェンジする効果を有する。また、図８（ｃ）に表すように、赤外線ビューア（１０）を通して印刷画像（３）を観察すると、第三の有意情報であるアルファベットの「ＯＫ」の文字が視認される。なお、赤外線ビューアとは、赤外線を対象物に投射し、対象物から反射する赤外線を受光し、可視光に変換してモニタに映し出す装置である。
【００６７】
以上のような効果を生じる理由について説明する。まず、図８（ａ）に示すように、拡散反射光下で情報担持体（１）を観察した場合、集合蒲鉾状画線群（４）が表す第一の有意情報が視認でき、第二の有意情報と第三の有意情報は視認できない。これは拡散反射光下においては、色彩の濃淡が強調されるため、集合蒲鉾状画線群（４）の中で画線面積率の違いによって表現された第一の有意情報が可視化される。第二の有意情報は、面積率が同じ画線で構成されているため、濃淡が生じず、この領域では不可視である。また、反射層（３）中の第三の有意情報は、一定の濃淡差を有して形成されているものの、階調表現域が極めて狭く設計されているため、積層されて下に存在する集合蒲鉾状画線群（４）の第一の有意情報の濃淡差に打ち消され、拡散反射光領域では不可視となる。
【００６８】
一方、図８（ｂ）に示すように、拡散反射光と正反射光が混在する観察角度で情報担持体（１）を観察した場合、集合蒲鉾状画線群（４）が表す第二の有意情報のみが視認でき、第一の有意情報及び第三の有意情報は視認できない。これは、反射層（５）から強い正反射光が生じて集合蒲鉾状画線群（４）の画線表面が淡く変化して階調が圧縮されて第一の有意情報が消失するとともに、反射層（５）全体の階調も同様に圧縮されて第三の有意情報が目視上視認できなくなる。
【００６９】
一方で、反射層（５）下に存在するそれぞれの蒲鉾状画線（６）の画線方向の違いに応じた反射光量の大小が生まれ、結果として画線方向の違いで表現して成る第二の有意情報が、反射層（５）から生じた反射光量の違いによって出現するものである。また、入射する光と平行に近い角度を成した画線がより強く光を反射するため、入射する光の方向の変化によって、異なる画線方向を有する蒲鉾状画線（６）で構成された第二の有意情報がネガポジ反転する効果が生じる。
【００７０】
また、図８（ｃ）のように、赤外線領域の観察においては、第三の有意情報のみが視認できる。図８（ｃ）に示す観察条件は、赤外線領域で拡散反射光を受光する観察条件であり、この観察条件では、赤外線を吸収する量が多い部分がより濃く可視化される。結果として赤外線を吸収する特性を有さない集合潜像画線群（４）に含まれる第一の有意情報及び第二の有意情報は不可視となり、赤外線を吸収する特性を有する反射層（４）の濃淡がそのまま可視化され、第三の有意情報のみが出現する。以上が本発明の画像のチェンジ効果が生じる原理である。
【００７１】
本発明の印刷画像（３）においては、インキ樹脂で形成された蒲鉾状画線（６）上に反射層（５）が重なる構成のため、反射層（５）から生じる反射光が大きく嵩上げされる。この反射光量の増大は、従来のような蒲鉾状画線（６）から直接反射光を生じさせる技術において得られる常識的な反射光量をはるかに凌ぐ量であり、他の従来技術のチェンジ効果とはレベルが異なる、本発明の情報担持体（１）の高いチェンジ効果を生じさせる上で非常に重要な要素となっている。
【００７２】
また、本発明において印刷画像（３）から生じる反射光は、蒲鉾状画線（６）の画線表面由来の光のみであるため、正反射光が存在する領域において画線方向の違いによって生じる反射光量の違いが、より顕著になり、結果として第二の有意情報の視認性や鮮明さが向上する。
【００７３】
以上のように、拡散反射光と正反射光が混在する観察角度で生じる第一の有意情報の消失と、第二の有意情報の出現を同時に実現することによって生じる画像のチェンジ効果は、従来の技術のチェンジ効果と比較しても極めて鮮明で劇的な効果であり、これは、他の従来技術のチェンジ効果とは一線を隔す、本発明の情報担持体（１）の最も大きな特徴となっている。
【００７４】
なお、本明細書中で言う「正反射」とは、物質にある入射角度で光が入射した場合に、入射した光の角度と略等しい角度に強い反射光が生じる現象を指し、「拡散反射」とは、物質にある入射角度で光が入射した場合に、入射した光の角度と異なる角度に弱い反射光が生じる現象を指す。例えば、虹彩色パールインキを例とすると、拡散反射の状態では無色透明に見えるが、正反射した状態では特定の干渉色の強い光を発する。
【００７５】
また、正反射光下で観察するとは、印刷物に入射した光の角度と略等しい反射角度に視点をおいて観察する状態を指し、拡散反射光下で観察するとは、印刷物に入射した光の角度と大きく異なる角度で観察する状態を指す。拡散反射光と正反射光が混在する観察角度で観察するとは、正反射光は生じているものの、印刷物に入射した光の角度と略等しい反射角度からわずかに角度がずれた角度から印刷画像を観察している状態であって、最も正反射光が強く生じる正反射光下と比較して正反射光がやや弱く、正反射光と拡散反射光とがそれぞれ混在している角度で観察する状態を指す。
【００７６】
なお、拡散反射光下では、それぞれの画像の色彩の違いが強調され、正反射光下ではそれぞれの画像を構成する光の反射率の違いが相対的に強調され、拡散反射光と正反射光が混在する角度領域では、画像の立体構造の違いが相対的に強調される傾向にある。
【００７７】
蒲鉾状画線（６）の画線の盛り上がりの高さは、特に制限するものではないが、流通適性を考えると、１ｍｍ以上の高さを有することは好ましくない。また、蒲鉾状画線（６）をインキによって形成する場合であって、皮膜の厚さが２μｍ以下の場合は画像のチェンジ効果が低くなる場合がある。よって、蒲鉾状画線（６）をインキ皮膜によって形成する場合には、２μｍ以上１ｍｍ以下であることが好ましい。
【００７８】
蒲鉾状画線群（７）のピッチは、０．０１ｍｍ以上５．０ｍｍ以下で形成することが好ましい。０．０１ｍｍ以下のピッチで、蒲鉾状画線（６）に２μｍ以上の盛り上がりを形成する場合には、一般的な印刷で再現できる蒲鉾状画線（６）のピッチとしては、ほぼ限界のピッチであり、印刷物品質の安定性に欠ける上に、たとえ、０．０１ｍｍ以下のピッチで要素を形成できた場合でも、ほとんどの場合、出現する潜像の視認性が極端に低くなるため、適当ではない。また、逆に、５.０ｍｍ以上のピッチで形成した場合には、潜像として再現できる画像の解像度が極端に低くなってしまうため、適切ではない。
【００７９】
反射層（５）を印刷で形成する場合には、比較的高解像度な印刷が可能なオフセット印刷方式、フレキソ印刷方式等が適している他、インクジェットプリンタ、レーザプリンタ等のデジタル印刷機を用いて形成することも可能である。これらのデジタル印刷機を用いる場合には、一枚一枚異なる情報を与える可変情報を容易に付与できるという特徴がある。
【００８０】
また、本発明における画線とは、印刷画像を形成する最小単位の小さな点である網点を特定の方向に一定の距離連続して配置した点線や破線の分断線、直線、曲線、破線等を指す。また画素とは、印刷画像を形成する最小単位の小さな点である網点を一塊とした構成を指し、単純な円、多角形だけでなく、記号、文字、マーク等で表してもよい。
【００８１】
以下、前述の発明を実施するための形態にしたがって、具体的に作成した情報担持体（１）の実施例について詳細に説明するが、本発明は、この実施例に限定されるものではない。
【００８２】
（実施例１）
実施例１については、実施の形態で説明した情報担持体（１）の例で説明する。具体的には、実施の形態と同様に、図１から図８を用いて説明する。図１に、実施例１の情報担持体（１）を示す。情報担持体（１）は、基材（２）上に銀色の印刷画像（３）を有して成る。基材（２）には、一般的な微塗工紙（レイナＲ  日本製紙製）を用いた。
【００８３】
図２に印刷画像（３）の概要を示す。印刷画像（３）は、集合蒲鉾状画線群（４）の上に反射層（５）が重ね合わさって成る。集合蒲鉾状画線群（４）は、第一の有意情報としてアルファベットの「ＪＰＮ」の文字を表し、第二の有意情報として「桜」の画像を表し、反射層（５）は、第三の有意情報としてアルファベットの「ＯＫ」の文字を表して構成した。
【００８４】
図３及び図４に、基材（２）上に形成した集合蒲鉾状画線群（４）を示す。第１の蒲鉾状画線群（７Ａ）は、画線幅０．２３ｍｍの直線を成す第１の蒲鉾状画線（６Ａ）を、第１の方向（Ｓ１方向）に、ピッチ０．４ｍｍで万線状に配置して構成した。第２の蒲鉾状画線群（７Ｂ）は、画線幅０．２８ｍｍの直線を成す第２の蒲鉾状画線（６Ｂ）を、第１の方向（Ｓ１方向）に、ピッチ０．４ｍｍで万線状に配置して構成した。第３の蒲鉾状画線群（７Ｃ）は、画線幅０．２３ｍｍの直線を成す第３の蒲鉾状画線（６Ｃ）を、第２の方向（Ｓ２方向）に、ピッチ０．４ｍｍで万線状に配置して構成した。第４の蒲鉾状画線群（７Ｄ）は、画線幅０．２８ｍｍの直線を成す第４の蒲鉾状画線（６Ｄ）を、第２の方向（Ｓ２方向）に、ピッチ０．４ｍｍで万線状に配置して構成した。第１の画線面積率は、約５８％であり、第２の画線面積率は、７０％であって、アルファベットの「ＪＰＮ」の文字は、背景と１２％の面積率の差異を有して構成した。
【００８５】
このような画線構成の集合蒲鉾状画線群（４）をＵＶ乾燥方式のスクリーン印刷で、高粘度で透明なスクリーンインキ（ＵＶ  ＰＯＴ  点字用クリア  帝国インキ製造株式会社製）にクロモファインブラックを約０．５％配合した黒色インキを用いて基材（２）上に印刷した。クロモファインブラックは、赤外線吸収特性のない黒色顔料であり、作製した黒インキは、赤外線吸収特性を有さず、集合蒲鉾状画線群（４）も赤外線吸収特性を有さない。蒲鉾状画線群（５）の高さは約１５μｍであった。
【００８６】
図５に示す反射層（５）は、ムカレを防止することを目的に最大面積率を９０％とし、最小面積率を７５％とすることで、階調表現域１５％の範囲で第三の有意情報であるアルファベットの「ＯＫ」の文字をポジで表した構成とした。ウェットオフセット印刷で銀インキ（ニューチャンピオン  シルバー  ＤＩＣ製）を用いて蒲鉾状画線群（４）上に印刷した。この反射層（５）は、拡散反射光下では暗い灰色で、正反射光下では白色となる、優れた明暗フリップフロップ性を有する。反射層（５）の印刷皮膜は、約１μｍであった。なお、集合蒲鉾状画線群（４）の形成に用いた黒インキに対して反射層（５）の形成に用いた銀インキは、約４分の１程度の色濃度を有する。
【００８７】
実施例１の情報担持体（１）の効果について図８を用いて説明する。図８（ａ）のように、拡散反射光下で本発明の情報担持体（１）の印刷画像（３）を観察した場合、観察者の視点（９）からは、第一の有意情報であるアルファベットの「ＪＰＮ」の文字が灰色で視認された。一方、図８（ｂ）のように、拡散反射光と正反射光が混在する観察角度で本発明の情報担持体（１）の印刷画像（３）を観察した場合、観察者の視点（９）からは、第一の有意情報である「ＪＰＮ」の文字が消失して、淡い灰色の背景の中に第二の有意情報である「桜」の画像が背景部の色彩と比較して明るい色か、より暗い色で視認された。
【００８８】
また、赤外線ビューアを用いて観察した場合、観察者の視点（９）からは、第一の有意情報である「ＪＰＮ」及び第二の有意情報である桜の画像が消失して、第三の有意情報であるアルファベットの「ＯＫ」の文字が視認された。以上のように、入射する光の角度の変化や観察する光の波長に応じて、印刷画像（３）中に視認される画像が鮮明にチェンジする効果を有することが確認できた。
【符号の説明】
【００８９】
１          情報担持体
２          基材
３          印刷画像
４          集合蒲鉾状画線群
５          反射層
５Ａ          情報部
５Ｂ          背景部
６，６Ａ，６Ｂ，６Ｃ，６Ｄ          蒲鉾状画線
７，７Ａ，７Ｂ，７Ｃ，７Ｄ          蒲鉾状画線群
８          光源
９          観察者の視点
１０          赤外線ビューア
ａ          インキ樹脂
ｂ          鱗ペン状の機能性材料
ｃ          表面反射光
ｄ          内面反射光
【図１】
2017056640.tif 000003
【図２】
2017056640.tif 000004
【図３】
2017056640.tif 000005
【図４】
2017056640.tif 000006
【図５】
2017056640.tif 000007
【図６】
2017056640.tif 000008
【図７】
2017056640.tif 000009
【図８】
2017056640.tif 000010
【図９】
2017056640.tif 000011
【図１０】
2017056640.tif 000012